(57)【要約】【課題】引き残しが少なく、出入り口を十分に大きく開放する。【解決手段】引き戸枠１の上部に内障子ａと外障子ｂを引き違い状に走行可能に上吊りするレールを設けた上吊り式サッシにおいて、内障子ａと外障子ｂの下框１３の相対する側壁にその長手方向に沿ってガイド溝２０を形成し、上記内障子ａと外障子ｂのそれぞれの召合せ框１５の戸先側端面にサイドローラ３３の取付金具３４を固定し、この取付金具３４から延出したアーム３５の先端の垂直軸３８に取り付けられたローラ部３６を、他方の障子の框のガイド溝２０から上記框の内側に収容させるとともに、上記内障子ａと外障子ｂとが閉じ状態のときに、それぞれのサイドローラ３３のローラ部３６は他方の障子の召合せ框１５の内側に配置されている。【選択図】図６
2008019586.tif 000002
【特許請求の範囲】
【請求項１】
引き戸枠の上部に屋内側の内障子と屋外側の外障子を引き違い状に走行可能に上吊りするレールを設けた上吊り式引き戸サッシにおいて、
上記内障子と外障子の下框の相対する側壁にその長手方向に沿ってガイド溝を形成し、
上記内障子と外障子のそれぞれの召合せ框の戸先側端面にサイドローラの取付金具を固定し、この取付金具から延出したアーム部の先端の垂直軸に取り付けられたローラ部を、他方の障子の框のガイド溝から上記框の内側に収容させるとともに、
上記内障子と外障子とが閉じ状態のときに、それぞれのサイドローラのローラ部は他方の障子の召合せ框の内側に配置されている
ことを特徴とする上吊り式引き戸サッシ。
【請求項２】
上記内障子と外障子のそれぞれの召合せ框の互いに他方の召合せ框に相対する側壁を切り欠き、この切欠き部に上記内障子と外障子のそれぞれの下框の端部を係合させて固定し、上記ガイド溝を上記下框の長手方向に沿って形成するとともに、その端部を上記切欠き部まで形成した
ことを特徴とする、請求項１に記載の上吊り式引き戸サッシ。
【請求項３】
上記召合せ框の切欠き部と反対側の側壁を切り欠くことなく、この側壁の内側に上記下框の端部を収容して固定したことを特徴とする、請求項２に記載の上吊り式引き戸サッシ。
【発明の詳細な説明】
【技術分野】
【０００１】
本発明は、引き違い状に設けられた障子を上から吊って走行させる上吊り式引き戸サッシに関する。
【背景技術】
【０００２】
一般に、風除室などの出入り口サッシには上吊り式の障子が設置されている。障子は引き戸枠の上部に設けられたレールに吊られた上体で移動する構造であるから、障子の下部は支持がないと強風などに煽られて揺れ、障子同士がぶつかって音をたてたり、人にぶつかったりしてしまう。このため、引き戸枠の下部の地面には、障子の召合せ框の下方にガイドローラを固定し、このガイドローラを障子の下面に沿って固定されたボトムレールに係合させることによって各障子の煽りを抑えるほか、障子同士もサイドローラによって互いに係合する構成が採用されている。サイドローラは一方の障子の召合せ框に固定され、そこから他方の障子側にアーム部を延ばし、このアーム部を他方の障子の下框の長手方向に沿って形成されたガイド溝から内部に進入させ、アーム部の先端に設けたローラ部を他方の障子の下框の内面に係合させて転動させることにより、障子同士が接触したり離れたりすることを防止している。
【特許文献１】特開２００４−２７８０２６公報
【発明の開示】
【発明が解決しようとする課題】
【０００３】
しかしながら、上述のサイドローラは、互いに反対側の障子に設けられたサイドローラのローラ部から離隔するように配置されていた。図８（ｂ）に示されるように、障子を引いて開放操作したとき、一方の障子のガイドローラのローラ部３６は他方の障子の縦框１４に当たってしまい、それ以上は引き操作することができないので、十分に引かないうちに停止してしまう。したがって、引き残しが大きく、出入り口を十分に大きく開放することができなかった。
【０００４】
本発明は上記問題点を解消し、引き残しが少なく、出入り口を十分に大きく開放することができる上吊り式引き戸サッシを提供することをその課題とする。
【課題を解決するための手段】
【０００５】
前記課題を解決するため、請求項１に係る発明は、引き戸枠の上部に屋内側の内障子と屋外側の外障子を引き違い状に走行可能に上吊りするレールを設けた上吊り式引き戸サッシにおいて、上記内障子と外障子の下框の相対する側壁にその長手方向に沿ってガイド溝を形成し、上記内障子と外障子のそれぞれの召合せ框の戸先側端面にサイドローラの取付金具を固定し、この取付金具から延出したアーム部の先端の垂直軸に取り付けられたローラ部を、他方の障子の框のガイド溝から上記框の内側に収容させるとともに、上記内障子と外障子とが閉じ状態のときに、それぞれのサイドローラのローラ部は他方の障子の召合せ框の内側に配置されていることを特徴とする。
【０００６】
請求項２に係る発明は、請求項１において、上記内障子と外障子のそれぞれの召合せ框の互いに他方の召合せ框に相対する側壁を切り欠き、この切欠き部に上記内障子と外障子のそれぞれの下框の端部を係合させて固定し、上記ガイド溝を上記下框の長手方向に沿って形成するとともに、その端部を上記切欠き部まで形成したことを特徴とする。
【０００７】
請求項３に係る発明は、請求項２において、上記召合せ框の切欠き部と反対側の側壁を切り欠くことなく、この側壁の内側に上記下框の端部を収容して固定したことを特徴とする。
【発明の効果】
【０００８】
請求項１に係る発明によれば、内障子と外障子のそれぞれの召合せ框の戸先側端面にサイドローラの取付金具を固定し、この取付金具から延出したアーム部の先端の垂直軸に取り付けられたローラ部を、他方の障子のガイド溝からその框の内側に収容させるとともに、内障子と外障子とが閉じ状態のときに、それぞれのローラ部は相手の障子の召合せ框の内側に配置されている構造であるから、外障子を開放操作したとき、そのローラ部は内障子の召合せ框の内側まで移動できる。したがって、障子の引き量は大きく、その分引き残しは非常に小さい。したがって、出入り口を十分に大きく開放することができる。
【０００９】
請求項２に係る発明によれば、内障子と外障子のそれぞれの召合せ框の互いに他方の召合せ框に相対する側壁を切り欠き、この切欠き部に下框の端部を係合させて固定し、下框に形成したガイド溝の端部を上記切欠き部まで形成した構造であるから、縦框の下端内側に下框の端部を突き合わせて固定するという、従来と同じ框組みにすることができるとともに、召合せ框まで下框のガイド溝を連続形成するという構成を容易に実現することができる。
【００１０】
請求項３に係る発明によれば、上記召合せ框の切欠き部と反対側の側壁は外部から見える部分であり、この部分を切り欠くことなく、この側壁の内側に上記下框の端部を収容して固定したので、外観上は通常の縦框が上から下まで通っているように見えるので、外観が不自然でない。
【発明を実施するための最良の形態】
【００１１】
図１において符号１は引き戸枠を示す。この引き戸枠１は上枠１ａと両側の縦枠１ｂと無目２とを枠組みしてなるもので、例えば風除室の出入り口に配設されているものとする。なお、縦枠１ｂの無目２の下方には増縦枠１ｃが一体的に結合されている。増縦枠１ｃには障子の収容部３（図３参照）が形成されている。
【００１２】
引き戸枠１には屋内側の内障子ａと屋外側の外障子ｂとが引き違い摺動可能に設けられている。すなわち、図２（ａ）に示されるように、無目２の内側下部には垂直縁４と水平縁５とから断面十字形に形成されたレール部材６が配置され、水平縁４の内外には突条状の障子レール７が形成されている。
【００１３】
なお、無目２の上記レール部材６の屋外側と屋内側にはそれぞれ無目カバー８が着脱自在に設けられている。
【００１４】
また、図３及び図４に示されるように、上記無目２の下方に位置する地面（コンクリート面でも金属面でもよい）の中央部にはガイドローラ１０が固定されている。ガイドローラ１０は金属金具１１の上部に設けられた垂直軸に回転自在に設けられている。
【００１５】
これに対し、内障子ａと外障子ｂはそれぞれ上下框１２、１３と戸尻側の縦框１４と戸先側の召合せ框１５とを方形に框組みし、内側にガラス等のパネルを嵌合保持したもので、上框１２の上部には取付金具１６を介して戸車１７が取り付けられている。
【００１６】
図２（ｂ）及び図４に示されるように、内障子ａと外障子ｂの下框１３の相対する側壁１８にはその長手全長に沿ってガイド溝２０が形成されている。ガイド溝２０の内側には後述のサイドローラ３３のローラ部３６の収容部２１が形成され、ガイド溝２０の上部には係合壁２２が形成されている。
【００１７】
また、図２（ｂ）、図４及び図５に示されるように、内障子ａと外障子ｂの下框１３は下向き開口のコ字形に形成され、内部にはボトムケース２３が取り付けられている。ボトムケース２３は下向きに開口し、その下部には合成樹脂製のヒレ２４を取り付けたものである。ボトムケース２３の端部には端部カバー２５が配置され、その上方のＬ形ブラケット２６と共締め固定されている。そして、上記Ｌ形ブラケット２６を縦框１４の長孔２７から通したビス２９により上下調整をして固定されている。
【００１８】
ところで、内障子ａと外障子ｂの召合せ框１５の互いに相対する壁３０の下端部は図４、図６及び図７に示されるように、逆Ｌ字形に切り欠くことによって切欠き部３１が形成されている。これに対し、内障子ａと外障子ｂの下框１３の端部は断面コ字形の補強材２８を介して召合せ框１５の切欠き部３１に嵌め込まれ、召合せ框１５の戸先側の側壁にビス止め固定されている。なお、戸尻側の縦框１４にも切欠き部を形成してもよいが、なくてもよい。
【００１９】
なお、上記各召合せ框１５には、互いに相対する対向面にタイト材３２（図３参照）が取り付けられている。
【００２０】
また、図７に示されるように、召合せ框１５の切欠き部３１と反対側の側壁１５ａを切り欠くことなく、この側壁１５ａの内側に上記下框１３の端部を収容して固定されている。
【００２１】
また、図３、図４及び図６に示されるように、内障子ａと外障子ｂの召合せ框１５にはサイドローラ３３が取り付けられている。サイドローラ３３は、取付金具３４から延出したアーム３５の先端にローラ部３６を設けたもので、アーム３５は、取付金具３４から屈曲形成された垂直片３５ａと、垂直片３５ａの先端から屈曲形成された水平片３５ｂとからなり、水平片３５ｂに設けた垂直軸３８にローラ部３６を回転自在に取り付けた構成となっている。なお、サイドローラ３３は、予めローラ部３６を他方の下框１３のガイド溝２０からその内側の収容部２１に収容しておき、この状態で上記下框１３を図７のように金属補強材２８を介して縦枠１ｂの切欠き部３１に嵌め込み固定する。
【００２２】
上記構成の引き戸枠１に障子ａ、ｂを吊り込むときは、まず無目カバー８を外しておき、外障子ｂと内障子ａを、それぞれそのボトムケース２３の溝の内側にガイドローラ１０を収容させた状態でレール部材６の障子レールに各障子ａ、ｂの戸車１７を係合させる。そして、図６に示されるように、一方の下框１３からはみ出しているサイドローラ３３の取付金具３４を他方の障子の召合せ框１５の戸先側の端面に上下調整してビス止め固定する。その後、屋外側と屋内側から無目カバー８を取り付けることにより、図１のサッシが完成する。
【００２３】
上記構成によれば、閉じ状態にあるとき、不安定となる内障子ａと外障子ｂの召合せ框１５側の下部は、ボトムケース２３に係合するガイドローラ１０によって支持されるので、風による煽りを有効に防止することができる。
【００２４】
また、内障子ａと外障子ｂに固定されたサイドローラ３３は、互いに他方の障子の下框１３に形成されたガイド溝２０からその収容部２１内に収容され、内障子ａと外障子ｂに互いに離隔するような力が働いたときは互いに引き合い、また互いに接触するような力が働いたときは互いに押し合うように作用して一定の間隔を保持するようになっているので、快適に開閉操作することができるとともに、破損や故障を防止することができる。
【００２５】
さらに、一方の障子（通常は外障子ｂ）を引いて開放操作したときは、図８（ａ）に示されるように、外障子ｂのサイドローラ３３のローラ部３６は内障子ａに形成された収容部２１の係合壁の内面を転動し、ローラ部３６が内障子ａの縦框１４に当たるまで移動することができる。このように、外障子ｂの引き量は大きいので、引き残しは非常に小さい。したがって、出入り口を十分に大きく開放することができる。
【００２６】
また、内障子ａと外障子ｂのそれぞれの召合せ框１５の互いに他方の召合せ框１５に相対する側壁を切り欠き、この切欠き部３１に下框１３の端部を係合させて固定し、上記ガイド溝２０の端部を上記切欠き部３１まで形成した構造でであるとともに、召合せ框１５の切欠き部３１と反対側の側壁１５ａ（図７参照）は外部から見える部分であり、この部分１５ａを切り欠くことなく、この側壁１５ａの内側に上記下框１３の端部を収容して固定したので、外観上は通常の縦框１４が上から下まで通っているように見えるので、外観が不自然でない。
【００２７】
なお、ガイド溝２０の構成は上記形態に限定されない。例えば、召合せ框１５に下框１３のガイド溝２０に連続するガイド溝２０を形成するようにしてもよい。
【図面の簡単な説明】
【００２８】
【図１】本発明に係る上吊り式引き戸サッシの正面図
【図２】（ａ）（ｂ）は図１のＸ−Ｘ線上の上部及び下部の断面図
【図３】図１のＹ−Ｙ線上の断面図
【図４】上記サッシの分解斜視図
【図５】網戸下レールの一部の取付態様説明図
【図６】サイドローラの取付態様説明図
【図７】召合せ框と下框との取付態様を示す分解斜視図
【図８】（ａ）（ｂ）はそれぞれ本発明と従来の引き戸の引き量を簡略に示した説明図
【符号の説明】
【００２９】
１    引き戸枠
１３  下框
２０  ガイド溝
１５  召合せ框
３３  サイドローラ
３４  取付金具
３６  ローラ部
【図１】
2008019586.tif 000003
【図２】
2008019586.tif 000004
【図３】
2008019586.tif 000005
【図４】
2008019586.tif 000006
【図５】
2008019586.tif 000007
【図６】
2008019586.tif 000008
【図７】
2008019586.tif 000009
【図８】
2008019586.tif 000010